(57)【特許請求の範囲】
【請求項１】
ディスクプレーヤのディスク挿入口より挿入されたディスクを、該ディスクの大きさに応じてターンテーブルに対し所定の位置関係となるように設定するディスクセンタリング機構に於いて、
前記ディスクの外周円弧部に当接しガイドする当接部を有し、該ディスクからの押圧力により回動支点を中心に回動可能なセンタリングレバーと、
前記センタリングレバーを所定保持位置に弾性保持する保持手段とからなり、
前記当接部に当接する前記ディスクの大きさにより前記センタリングレバーの回動方向が変わるよう、前記回動支点の位置と前記所定保持位置が設定されていることを特徴とするディスクセンタリング機構。
【請求項２】
前記ディスクの中心と前記当接部の中心を結ぶ前記センタリングレバーの方向の延長線上に、前記センタリングレバーの回動支点を設けたことを特徴とする請求項１記載のディスクセンタリング機構。
【請求項３】
前記センタリングレバーの回動方向を検知する検知手段を有し、前記センタリングレバーの回動方向を検知することにより、ディスクの大きさを検知できるようにしたことを特徴とする請求項１記載のディスクセンタリング機構。
【発明の詳細な説明】
【０００１】
【発明の属する技術分野】
本発明は、ＣＤプレーヤ等のディスクプレーヤにおいてディスク挿入口より挿入されたディスクを、ディスクの大きさ（例えば８ｃｍ／１２ｃｍ）に応じてターンテーブルに対し所定の位置関係となるように設定するディスクセンタリング機構に関する。
【０００２】
【従来の技術】
ディスクプレーヤで再生するディスクには複数種類の異なった径のものが存在する。例えばコンパクトディスク（ＣＤ）プレーヤにおいては直径が８ｃｍのディスクと１２ｃｍのディスクが存在する。このためＣＤプレーヤでは両方の径のディスクに対応する機構が必要で、特にディスクを所定位置、即ちターンテーブル上に位置決めするためのディスクセンタリング機構に工夫が必要である。
【０００３】
以降に大きさの異なる２種類のディスク（８ｃｍ／１２ｃｍ）を再生するＣＤプレーヤのディスクセンタリング機構を図４を用いて説明する。
図４は従来の８ｃｍ及び１２ｃｍディスクのセンタリング機構を示す上面視図である。
７０はディスクセンタリング機構で、挿入検知レバー７１、ディスクガイドレバー８０及び天板等により構成されており、挿入検知レバー７１の回動する角度に連動して、ディスクガイドレバー８０がディスクのセンタリングを行う。
【０００４】
挿入検知レバー７１は板形状をしており、先端部（ディスク挿入方向）にはディスクの外周円弧部に当接し、ディスクをセンタ方向へ誘導する当接ピン７３が下方向（ディスク方向）へ立設されており、後端部には挿入検知レバー７１の回動支点孔７２が形成されている。挿入検知レバー７１の板部はめっき鋼板が用いられプレス加工により形成され、ピン部はステンレス鋼棒を旋削加工し板部にかしめ加工等により立設される。尚、当接ピン７３はかしめられたピンに樹脂等の円筒を回転可能に挿通し、ディスクの外周円弧部との接触抵抗を小さくしている。
【０００５】
ディスクガイドレバー８０は板形状をしており、挿入検知レバー７１の回動する角度に連動して作動するように、中間の係合レバー（図示省略）により連結されている。ディスクガイドレバー８０の先端部にはディスク９５、９６の外周円弧部が当接し、ディスク９５、９６の中心点ｊ又はｋとターンテーブル（図示省略）の中心に位置決めする当接ピン８３が下方向（ディスク方向）へ立設されており、後端部には回動支点孔８２が形成されている。
【０００６】
天板９０はＣＤデッキの蓋部で、検知レバー７１とディスクガイドレバー８０の回動支点孔７２、８２に係合する回動支点軸９１及び９２が下方向（ディスク方向）へ立設されている。天板３０の材料にはめっき鋼板が用いられプレス加工等により形成される。
次にディスクの挿排動作を説明する。
【０００７】
８ｃｍディスク９５又は１２ｃｍディスク９６をディスク挿排口（図示省略）より矢印Ｈ方向へ挿入すると、ディスク挿排口の入口に設けられた左右の挿入検知レバー７１の当接ピン７３に８ｃｍディスク９５又は１２ｃｍディスク９６の外周円弧部が当接する。そして、左右の挿入検知レバー７１をそれぞれＦ方向へ押し開きながらｍ位置又はｎ位置まで回動させる。左右の挿入検知レバー７１に連動して動くように設けられたディスクガイドレバー８０が回動支点孔８２を中心に回動する。そして、ディスクガイドレバー８０の当接ピン８３がｐ位置又はｑ位置まで回動し８ｃｍディスク９５又は１２ｃｍディスク９６が当接した際に、ターンテーブルの中心に８ｃｍディスク９５又は１２ｃｍディスク９６の中心点ｊ又はｋが一致するように位置決めされる。
【０００８】
一方、８ｃｍディスク９５又は１２ｃｍディスク９６が挿入されると同時に挿排ローラ（図示省略）が上昇し、８ｃｍディスク９５又は１２ｃｍディスク９６を開口ガイド上板（図示省略）に圧接させた状態で挿排ローラを回転させる。そして、８ｃｍディスク９５又は１２ｃｍディスク９６をターンテーブルの中心方向へ搬送する。８ｃｍディスク９５又は１２ｃｍディスク９６の中心点ｊ又はｋがターンテーブルの中心位置まで搬送されると、挿排ローラの回転が止まり挿排ローラが８ｃｍディスク９５又は１２ｃｍディスク９６の下方に下がる。挿排ローラが下がると同時にターンテーブルの上部に設けられたクランパー（図示省略）が８ｃｍディスク９５又は１２ｃｍディスク９６をターンテーブルに圧接し、センタリング動作が完了する。そして、８ｃｍディスク９５又は１２ｃｍディスク９６を回転させ８ｃｍディスク９５又は１２ｃｍディスク９６に記録された記号を読み取り再生する。
【０００９】
次に、８ｃｍディスク９５又は１２ｃｍディスク９６を排出するには機器の前面部に設けられた排出釦を押すと、８ｃｍディスク９５を圧接していたクランパーが解除されると同時に挿排ローラが上昇し、８ｃｍディスク９５又は１２ｃｍディスク９６を開口ガイド上板に圧接させた状態で挿排ローラを逆回転させる。そして、８ｃｍディスク９５又は１２ｃｍディスク９６を挿排口へ搬送する。また、左右の挿入検知レバー７１及びディスクガイドレバー８０等は８ｃｍディスク９５又は１２ｃｍディスク９６が挿入される前の状態に戻る。
【００１０】
【発明が解決しようとする課題】
しかし、上述のディスクセンタリング機構７０は、ディスク挿排口に設けられた検知レバー７１の回動位置により８ｃｍディスク９５又は１２ｃｍディスク９６のいずれのディスクが挿入されたかが検知される。そして、検知レバー７１に連動して８ｃｍディスク９５又は１２ｃｍディスク９６のセンタリングを行うディスクガイドレバー８０が回動する機構となっているが、ディスクセンタリング機構７０が複雑でコスト高になっており改善の必要がある。
【００１１】
そこで、本発明は上述の問題を解決するもので、ディスク挿入口より挿入されたディスクを、ディスクの大きさ（８ｃｍ／１２ｃｍ）に応じてターンテーブルに対し所定の位置関係となるように設定する単純構造のディスクセンタリング機構を提供することを目的とする。
【００１２】
【課題を解決するための手段】
本発明は、上述の目的を達成するもので、ディスクプレーヤのディスク挿入口より挿入されたディスクを、該ディスクの大きさに応じてターンテーブルに対し所定の位置関係となるように設定するディスクセンタリング機構に於いて、前記ディスクの外周円弧部に当接しガイドする当接部を有し、該ディスクからの押圧力により回動支点を中心に回動可能なセンタリングレバーと、前記センタリングレバーを所定保持位置に弾性保持する保持手段とからなり、前記当接部に当接する前記ディスクの大きさにより前記センタリングレバーの回動方向が変わるよう、前記回動支点の位置と前記所定保持位置が設定されていることを特徴とする。
【００１３】
また、前記ディスクの中心と前記当接部の中心を結ぶ前記センタリングレバーの方向の延長線上に、前記センタリングレバーの回動支点を設けたことを特徴とする。
また、前記センタリングレバーの回動方向を検知する検知手段を有し、前記センタリングレバーの回動方向を検知することにより、ディスクの大きさを検知できるようにしたことを特徴とする。
【００１４】
【作用】
本発明によれば、例えば直径の異なるディスクとセンタリングレバーの当接部の中心を結び前記センタリングレバーの方向の２本の延長線に囲まれた範囲内に、センタリングレバーの回動支点を設けることにより、ディスクを挿入した際にディスクの直径の大きさによりセンタリングレバーの回動方向が変わる。
【００１５】
第２の発明によれば、ディスクの中心とセンタリングレバーの当接部の中心を結ぶ前記センタリングレバーの方向の延長線上に、前記センタリングレバーの回動支点を設けると、ディスクの外周円弧部が前記当接部に当接した際に前記センタリングレバーが回動しないので、当該位置にディスクを位置決めできる。但し前記ディスクの直径と異なる直径のディスクが前記当接部に当接すると前記センタリングレバーは回動する。
【００１６】
第３の発明によれば、検知したセンタリングレバーの回動方向により複数のディスクの大きさを大小に判別できる。
【００１７】
【実施例】
本発明の第１実施例を図１、図２及び図３を用いて説明する。尚、本実施例ではＣＤプレーヤを例に挙げ説明する。
図１は本発明の第１実施例のディスクセンタリング機構の構成を示す図で、（ａ）は上面視図、（ｂ）はＡ−Ａ断面図である。
【００１８】
図２は本発明の第１実施例のディスクセンタリング機構を示す図で、（ａ）は８ｃｍディスクの挿入動作を示す上面視図、（ｂ）は８ｃｍディスクのセンタリング状態を示す上面視図である。
図３は本発明の第１実施例のディスクセンタリング機構を示す図で、（ａ）は１２ｃｍディスクの挿入動作を示す上面視図、（ｂ）は１２ｃｍディスクのセンタリング状態を示す上面視図である。
【００１９】
先ず、本発明のディスクセンタリング機構の構成を図１を用いて説明する。
１０はディスクセンタリング機構で、右センタリングレバー１１、左センタリングレバー１６、センタレバー２０及び天板３０等により構成されている。
右センタリングレバー１１及び左センタリングレバー１６は左右対象形状をしており、ディスクの外周円弧部に当接し、ディスクをセンタ方向へ誘導する当接ピン１２、１７が下方向（ディスク方向）へ立設され、一方先端部にはセンタレバー２０の横方向ガイド孔２２に係合する係合ピン１４、１９が当接ピン１２、１７と反対方向へ立設されている。他方後端部には左右センタリングレバー１１、１６の回動支点孔１３、１８が形成されている。左右センタリングレバー１２、１７の板部はめっき鋼板が用いられプレス加工により形成され、ピン部はステンレス鋼棒を旋削加工し板部にかしめ加工等により立設される。尚、当接ピン１２、１７はかしめられたピンに樹脂等の円筒を回転可能に挿通し、ディスクの外周円弧部との接触抵抗を小さくしている。
【００２０】
センタレバー２０は三角形状のめっき鋼板で頂角部には天板３０の前後方向（ディスク挿入方向）のガイド孔３１に係合する係合ピン２１が立設され、底辺部には左右センタリングレバー１２、１７の係合ピン１４、１９が係合する横方向ガイド孔２２が形成されている。
天板３０はＣＤデッキの蓋部で、左右センタリングレバー１１、１６の回動支点孔１３、１８に係合する回動支点軸３２、３３が下方向（ディスク方向）へ立設されており、また、回動支点軸３２、３３の中間にはセンタレバー２０の係合ピン２１が係合するガイド孔３１が前後方向に形成されている。尚、ガイド孔３１の途中にはディスクの偏り挿入を防止する凹部（図示省略）が形成されている。天板３０の材料にはめっき鋼板が用いられプレス加工等により形成される。
【００２１】
次に、ディスクと左右センタリングレバーの位置関係を説明する。
８ｃｍディスク４０及び１２ｃｍディスク４５を左右センタリングレバー１１、１６の当接ピン１２、１７に当接させた状態で、当接ピン１２の中心点と８ｃｍディスク４０の中心点ｅを結ぶ延長線ｃ及び当接ピン１２の中心点と１２ｃｍディスク４５の中心点ｆを結ぶ延長線ｄとで囲まれた斜線の領域ｇ内に右センタリングレバー１１の回動支点軸３２を設け、左センタリングレバー１６の回動支点軸３３は右センタリングレバー１１の回動支点軸３２の左右対象位置に設けられる。
【００２２】
以上の状態で８ｃｍディスク４０を矢印Ｂ方向へ送り込むと左右のセンタリングレバー１１、１６は８ｃｍディスク４０をセンタリングしながら矢印Ｃ方向へ回動し、ディスク４０をターンテーブルの中心と合致させる。また、１２ｃｍディスク４５を矢印Ｂ方向へ送り込むと左右センタリングレバー１１、１６は１２ｃｍディスク４５をセンタリングしながら矢印Ｄ方向へ回動し、ディスク４５をターンテーブルの中心と合致させる。
【００２３】
尚、当接ピン１２の中心点と８ｃｍディスク４０の中心点ｅを結ぶ延長線ｃ上に左右センタリングレバー１１、１６の回動支点軸３２、３３を設けると、８ｃｍディスク４０が当接ピン１２と１７に当接しても左右センタリングレバー１１、１６は回動せず、上記当接位置に８ｃｍディスク４０を位置決めする。しかし、１２ｃｍディスク４５は左右センタリングレバー１１、１６を矢印Ｄ方向へ回動させながらターンテーブルの中心まで進む。そこで、８ｃｍディスク４０の中心点ｅとターンテーブルの中心が一致するような延長線ｃ上に左右センタリングレバー１１、１６の回動支点軸３２、３３を設けることにより。８ｃｍディスク４０及び１２ｃｍディスク４５のセンタリングが可能となる。
【００２４】
次に、８ｃｍディスクの挿排動作を説明する。
８ｃｍディスク４０をディスク挿排口（図示省略）より矢印Ｂ方向へ挿入すると挿排ローラ（図示省略）が上昇し、８ｃｍディスク４０を開口ガイド上板（図示省略）に圧接させた状態で回転し、８ｃｍディスク４０をターンテーブルの中心方向へ搬送する。そして、搬送途中に設けられた左右センタリングレバー１１、１６の当接ピン１２と１７に８ｃｍディスク４０の外周円弧部が当接し、センタリング動作が始まり、左右センタリングレバー１１、１６をそれぞれＣ方向へ押し開きながら回動させる。８ｃｍディスク４０の中心がターンテーブルの中心位置まで搬送されると、挿排ローラの回転が止まり挿排ローラが８ｃｍディスク４０の下方に下がる。挿排ローラが下がると同時にターンテーブルの上部に設けられたクランパー（図示省略）が８ｃｍディスク４０をターンテーブルに圧接し、センタリング動作が完了する。そして、８ｃｍディスク４０を回転させ８ｃｍディスク４０に記録された記号を読み取り再生する。
【００２５】
次に、８ｃｍディスク４０を排出するには機器の前面部に設けられた排出釦を押すと、８ｃｍディスク４０を圧接していたクランパーが解除されると同時に挿排ローラが上昇し、８ｃｍディスク４０を開口ガイド上板に圧接させた状態で挿排ローラを逆回転させる。そして、８ｃｍディスク４０を挿排口へ搬送する。尚、左右センタリングレバー１１、１６等は８ｃｍディスク４０が挿入される前の状態に戻る。
【００２６】
次に、１２ｃｍディスクの挿入動作を説明する。
１２ｃｍディスク４５をディスク挿排口より矢印Ｂ方向へ挿入すると同時に挿排ローラが上昇し、８ｃｍディスク４０を開口ガイド上板に圧接させた状態で回転し、１２ｃｍディスク４５をターンテーブルの中心方向へ搬送する。そして、搬送途中に設けられた左右センタリングレバー１１、１６の当接ピン１２と１７に１２ｃｍディスク４５の外周円弧部が当接し、センタリング動作が始まり、左右センタリングレバー１１、１６をそれぞれＤ方向へ押し込みながら回動させる。１２ｃｍディスク４５の中心がターンテーブルの中心位置まで搬送されると、挿排ローラの回転が止まり挿排ローラが１２ｃｍディスク４５の下方に下がる。挿排ローラが下がると同時にターンテーブルの上部に設けられたクランパー（図示省略）が１２ｃｍディスク４５をターンテーブルに圧接し、センタリング動作が完了する。そして、１２ｃｍディスク４５を回転させ１２ｃｍディスク４５に記録された記号を読み取り再生する。
【００２７】
次に、１２ｃｍディスク４５排出するには機器の前面部に設けられた排出釦を押すと、１２ｃｍディスク４５を圧接していたクランパーが解除されると同時に挿排ローラが上昇し、１２ｃｍディスク４５を開口ガイド上板に圧接させた状態で挿排ローラを回転させる。そして、１２ｃｍディスク４５を挿排口へ搬送する。尚、左右センタリングレバー１１、１６等は１２ｃｍディスク４５が挿入される前の状態に戻る。
【００２８】
以上説明したように、本実施例によれば、８ｃｍディスク４０及び１２ｃｍディスク４５を左右センタリングレバー１１、１６の当接ピン１２、１７によりディスクをガイドしながら搬送する単純な構造のために、機器を構成する部品点数が削減され機器の小型化及びコスト低減が図れる。また、単純な構造のため品質上の信頼性も向上する。なお本実施例では８ｃｍと１２ｃｍのディスクについて説明したが、この大きさにこだわることはなく複数種類のディスクを位置決めすることができる。
【００２９】
【発明の効果】
以上説明したように、本発明によれば、機器を構成する部品点数が削減され単純な構造となる。従って、機器の小型化及びコスト低減が図れ、また品質上の信頼性も向上する。
【図面の簡単な説明】
【図１】本発明の第１実施例のディスクセンタリング機構の構成を示す図で、（ａ）は上面視図、（ｂ）は断面図である。
【図２】本発明の第１実施例のディスクセンタリング機構を示す図で、（ａ）は８ｃｍディスクの挿入動作を示す上面視図、（ｂ）は８ｃｍディスクのセンタリング状態を示す上面視図である。
【図３】本発明の第１実施例のディスクセンタリング機構を示す図で、（ａ）は１２ｃｍディスクの挿入動作を示す上面視図、（ｂ）は１２ｃｍディスクのセンタリング状態を示す上面視図である。
【図４】従来の８ｃｍ及び１２ｃｍディスクのセンタリング機構を示す上面視図である。
【符号の説明】
１０・・・・・ディスクセンタリング機構
１１・・・・・右センタリングレバー
１２、１７・・当設ピン
１３、１８・・回動支点孔
１４、１９、２１・・係合ピン
１６・・・・・左センタリングレバー
２０・・・・・センタレバー
２２・・・・・横方向ガイド孔
３０・・・・・天板
３１・・・・・前後方向ガイド孔
３２、３３・・回動支点軸
４０・・・・・８ｃｍディスク
４５・・・・・１２ｃｍディスク
ｃ・・・・・・８ｃｍディスクと当設ピンの中心を結ぶ延長線
ｄ・・・・・・１２ｃｍディスクと当設ピンの中心を結ぶ延長線
ｅ・・・・・・８ｃｍディスクの中心点
ｆ・・・・・・１２ｃｍディスクの中心点
【図１】
0003638041.tif 000002
【図２】
0003638041.tif 000003
【図３】
0003638041.tif 000004
【図４】
0003638041.tif 000005